(57)【特許請求の範囲】
【請求項１】
中心軸を横にし、上部に海藻の種苗が取り付けられる筒型網と、該筒型網の上部と間隔を開けて、前記筒型網内に取り付けられ、前記筒型網の上部に種苗として取り付けられる海藻の根を定着させる固定基質とを有する海藻育成具が、前記筒型網の前記固定基質より下側に突き出た部分を押し潰して、前記固定基質を介して藻礁本体に取り付けられていることを特徴とする藻場礁。
【発明の詳細な説明】
【技術分野】
【０００１】
本発明は、海藻、特にホンダワラ類の種苗移植を効果的に行うことができる海藻生育具を備えた藻場礁に関する。
【背景技術】
【０００２】
従来、多年生海藻の種苗移植方法としては、配偶体を着生させ、受精、発芽させて種苗を育成するための紐状体と、該紐状体を固定するための木製平板とを用い、適宜の育成期間を経て種苗が成長した紐状体を木製平板に固定し、該紐状体を固定した木製平板をコンクリートブロックに取り付けて海中に沈設したり海中の岩盤に取り付け、紐状体上の種苗の根が、木製平板を越えてコンクリートブロックや岩盤に定着できるようにすることが知られている（例えば、特許文献１参照）。
【０００３】
【特許文献１】特開２００２−１７１８５４号公報
【発明の開示】
【発明が解決しようとする課題】
【０００４】
しかしながら、上記従来の種苗移植方法では、紐状体上で種苗が過密状態となって成長が抑制されやすい問題がある。また、移植に供する種苗の成長段階によっては、植食性動物からの食害を受け、期待されるような効果が得られない場合がある。
【０００５】
本発明は、上記従来の問題点に鑑みてなされたもので、特にホンダワラ類の種苗移植を効果的に行うことができるようにすることを目的とする。
【課題を解決するための手段】
【０００６】
本発明は、上記目的のために、中心軸を横にし、上部に海藻の種苗が取り付けられる筒型網と、該筒型網の上部と間隔を開けて、前記筒型網内に取り付けられ、前記筒型網の上部に種苗として取り付けられる海藻の根を定着させる固定基質とを有する海藻育成具が、前記筒型網の前記固定基質より下側に突き出た部分を押し潰して、前記固定基質を介して藻礁本体に取り付けられていることを特徴とする藻場礁を提供するものである。
【発明の効果】
【０００７】
本発明で用いる海藻育成具は、種苗を筒型網に取り付けて使用するもので、種苗を適宜の間隔で取り付けることで、種苗が過密状態になることによる成長不良を防止することができると共に、筒型網に取り付ける種苗を適宜の状態まで育成されたものとすることで、植食性動物からの食害を抑制することもできる。
【０００８】
本発明で用いる海藻育成具は、筒型網内又は筒型網の下部に固定基質を有しているので、筒型網に取り付けられた種苗から伸びる根を固定基質に定着させ、その後の安定した成長を促すことができる。
【０００９】
本発明の藻場礁は、上記海藻育成具を、例えばコンクリート構造物などの藻礁本体に取り付けてたもので、種苗の根を固定基質から更に藻礁本体にまで伸ばして定着させることができ、安定した藻場を形成することができる。また、本発明で用いる海藻育成具における固定基質は、この藻礁本体への取り付け時の取り付け部材として用いることができ、取り付け作業が容易となると共に、強固な取り付け状態が得やすくなる。
【発明を実施するための最良の形態】
【００１０】
以下、図面に基づいて本発明を更に説明する。
【００１１】
図１は本発明で用いる海藻育成具の一例を示す斜視図、図２は図１の海藻育成具に種苗を取り付けた状態の側面図である。
【００１２】
図１に示されるように、本例の海藻育成具１ａは、中心軸を横にした筒型網２と、この筒型網２内に挿入されて略水平に取り付けられた固定基質３とを備えたものとなっている。
【００１３】
筒型網２は、筒型をなす網もしくは籠状物で、例えば繊維強化プラスチックによって形成することができる。更に具体的には、合成樹脂を含浸させた繊維束をマンドレルに適宜の網又は籠状に巻き付け、含浸されている合成樹脂を硬化させた後、マンドレルから抜き取ることで製造することができる。
【００１４】
図示される筒型網２は円筒形であるが、角筒形や楕円筒形であってもよい。また、筒型網２は、後述する藻礁本体４（図５参照）などへの取り付け時に、固定基質３の下側に突き出た部分を押し潰して安定させやすいよう、弾性変形可能であることが好ましい。
【００１５】
固定基質３は、ホンダワラ類の根を定着させやすいよう、表面に微細な凹凸を有する平板状をなすものとなっている。具体的にはコンクリート板や、表面に粗面加工を施した合成樹脂板などを用いることができる。
【００１６】
筒型網２への固定基質３の取り付けは、例えば固定基質３の側縁部に予め孔を形成しておいたり金具を取り付けておき、この孔や金具を介してワイヤー、紐、ロープ、その他の締結手段で筒型網２へ固定することで行うことができる。また、図示される固定基質３は、筒型網２をほぼ上下に二分するよう、筒型網２のほぼ中央に設けられているが、筒型網２の上部寄りに取り付けたり、下部寄りに取り付けることもできる。
【００１７】
本例の海藻育成具１ａは、図２に示されるように、筒型網２の固定基質３より上方部分に種苗５を取り付けて使用される。種苗５の取り付けは、紐やバンドなどで行うことができる。種苗５としては、ホンダワラ類が最も適している。特に本例の場合、種苗５の取り付け部分の直ぐ下側に固定基質３が設けられているので、種苗５から伸びた根６を容易に固定基質３に定着させることができる。
【００１８】
図３は海藻育成具の参考例を示す斜視図、図４は図３の海藻育成具に種苗を取り付けた状態の側面図である。
【００１９】
本参考例の海藻育成具１ｂは、図３に示されるように、基本的には図１に示される海藻育成具１ａと同様であるが、固定基質３は筒型網２内ではなく、筒型網２の外側下部に取り付けられている点が図１の海藻育成具１ａとは相違している。
【００２０】
本参考例の海藻育成具１ｂは、図４に示されるように、固定基質３上の筒型網２に種苗５を取り付けて使用される。特に本参考例の海藻育成具１ｂは、下側に固定基質３が露出しているので、後述する藻礁本体４（図６参照）などへの取り付け時に、安定させやすい利点がある。また、図１の海藻育成具１ａに比して、種苗５と固定基質３間の間隔が大きくなりやすいが、この間隔は、例えば筒型網２を楕円筒形とし、その短径側に固定基質３を取り付けることなどによって調整することもできる。
【００２１】
図５は本発明に係る藻場礁の一例を示す斜視図である。
【００２２】
本例の藻場礁７ａは、図１の海藻育成具１ａを藻礁本体４に取り付けたものとなっている。海藻育成具１ａの取り付けは、筒型網２の固定基質３の下側に突き出している部分を押し潰し、固定基質３を藻礁本体４の表面に押し付けるようにして行われている。海藻育成具１ａの藻礁本体４への取り付けは、予め藻礁本体４に埋設したボルトや金具を用いて行ったり、ワイヤー、ロープ、紐などで縛り付けることで行うことができる。また、海藻育成具１ａを固定基質３を介して藻礁本体４と連結することで、藻礁本体４への取り付けを容易かつ強固にすることができる。
【００２３】
藻礁本体４は、海藻育成具１ａを保持して海底に安定して沈設できるものであれば特に制限はないが、例えばコンクリート構造物を用いることができる。
【００２４】
藻場礁７ａは、図２で説明したように、海藻育成具１ａの筒型網２に種苗５を取り付けて海底に沈設されるもので、種苗５から伸びた根６は固定基質３から藻礁本体４の表面へと伸びてしっかりと定着し、繁茂することになる。
【００２５】
図６は藻場礁の参考例を示す斜視図である。
【００２６】
本参考例の藻場礁７ｂは、図３の海藻育成具１ｂを藻礁本体４に取り付けたものとなっている。図３の海藻育成具１ｂの場合、下側に固定基質３が露出しているので、藻礁本体４への取り付け時に安定させやすい利点がある。また、取り付けは、図５の例と同様に予め藻礁本体４に埋設したボルトや金具を用いて行ったり、ワイヤー、ロープ、紐などで縛り付けることで行うことができる。
【００２７】
藻場礁７ｂも、図４で説明したように、海藻育成具１ａの筒型網２に種苗５を取り付けて海底に沈設されるもので、種苗５から伸びた根６は固定基質３から藻礁本体４の表面へと伸びてしっかりと定着し、繁茂することになる。
【図面の簡単な説明】
【００２８】
【図１】本発明に用いる海藻育成具の一例を示す斜視図である。
【図２】図１の海藻育成具に種苗を取り付けた状態の側面図である。
【図３】海藻育成具の参考例を示す斜視図である。
【図４】図３の海藻育成具に種苗を取り付けた状態の側面図である。
【図５】本発明に係る藻場礁の一例を示す斜視図である。
【図６】藻場礁の参考例を示す斜視図である。
【符号の説明】
【００２９】
１ａ  海藻育成具
１ｂ  海藻育成具
２  筒型網
３  固定基質
４  藻礁本体
５  種苗
６  根
７ａ  藻場礁
７ｂ  藻場礁
【図１】
0004783955.tif 000002
【図２】
0004783955.tif 000003
【図３】
0004783955.tif 000004
【図４】
0004783955.tif 000005
【図５】
0004783955.tif 000006
【図６】
0004783955.tif 000007